(57)【特許請求の範囲】
【請求項１】
互いに対向する２枚の透明基板のうち一方にブラックマスクが縦横に格子状に形成され、このブラックマスク上に少なくとも透明電極が形成された液晶表示パネルにおいて、
前記透明電極と前記格子状のブラックマスクとの重なり部分の投影面積を低減するためのスリット部によって前記ブラックマスクが複数の区分に分割されており、
前記スリット部は、縦方向および横方向に不連続的、かつ、不規則に分散させて配置されていることを特徴とする液晶表示パネル。
【請求項２】
前記スリット部によって分割されたブラックマスクの１つの区分と、前記透明電極との重なり部分の平面積であるオーバーラップ量が０．０４ｍｍ2 以下になるように、前記ブラックマスクが分割されていることを特徴とする請求項１に記載の液晶表示パネル。
【発明の詳細な説明】
【０００１】
【産業上の利用分野】
本発明は、液晶表示パネルに係り、特に、透明基板上に、ドットマトリクスの各画素間を遮光するためのブラックマスクが、前記画素の配列に沿って格子状に形成された液晶表示パネルに関する。
【０００２】
【従来の技術】
従来から、液晶表示パネルにおいては、コントラスト特性を向上する観点から、画素間の遮光を行うためのブラックマスクと称される遮光マスクを形成するようになっている。
【０００３】
図３は、このようなブラックマスクが形成された液晶表示パネルの基本的構成を示したものであり、この液晶表示パネル１は、例えばガラス板等からなる互いに対向する二枚の透明基板２，３を有しており、これらの透明基板２，３のうち、一方の透明基板３は、表示画面側となるフロント側基板３とされ、他方の透明基板２は、光源側となるリア側基板２とされている。
【０００４】
両透明基板２，３は、枠状のシール４を介して互いに貼り合わされており、両透明基板２，３および前記シール４によって囲繞された空間には、液晶５が封入されている。
【０００５】
両透明基板２，３の互いに対向する両内側平面には、例えばＩＴＯ（酸化インジウムスズ）からなる透明電極７，８が形成されており、これら透明電極７，８のうち、フロント側基板３に形成された一方の透明電極８は、走査電極として機能するフロント側電極８とされ、リア側基板２に形成された他方の透明電極７は、信号電極として機能するリア側電極７とされている。
【０００６】
両透明電極７，８は互いに直交する縞状に形成されており、このため、両透明電極７，８の重なり部分の平面形状は、図４に示すように格子状を形成するようになっている。そして、この格子状の重なり部分が、ドットマトリクス１画素９を構成するようになっている。
【０００７】
前記リア側電極７の図３における上層には、前述したドットマトリクスを構成する各画素間を遮光するためのブラックマスク１１が、画素９の配置に沿って格子状に形成されている。このブラックマスク１１の材料としては、一般に、遮光度が高いクロム（Ｃｒ）が用いられるようになっている。
【０００８】
そして、前記ブラックマスク１１と、前記リア側電極７との間には、絶縁体からなる中間平滑層１２が形成されている。
【０００９】
両透明基板２，３の透明電極７，８上には、配向膜１３が形成されており、これらの配向膜１３には、それぞれ所定の方向にラビング処理が施されている。
【００１０】
このように構成された液晶表示パネル１を用いて液晶表示を行う場合は、両透明電極７，８間に電圧を印加することによって液晶５の配向を変化させて光の透過を制御することにより、明暗を有する所望の画像表示を行うようになっていた。
【００１１】
【発明が解決しようとする課題】
ところで、前述したクロムのように導電性を有する材料によってブラックマスク１１を構成した場合において、例えば、前記ブラックマスク１１と前記リア側電極７の縞状パターンの１つとの間に、図５に示すような異物１５が存在するとき、この異物１５によって両者が短絡されてしまう。
【００１２】
このため、ブラックマスク１１と短絡されたリア側電極７の縞状パターンの１つと、他のリア側電極７との間に抵抗負荷差による電圧降下が生じてしまうため、液晶表示を行う際に表示ムラが発生してしまうといった問題が生じていた。
【００１３】
本発明は、このような問題点に鑑みなされたもので、格子状のブラックマスクをスリット部を介して複数の区分に分割することによって、ブラックマスクと透明電極との間に存在する異物による電圧降下の影響を低減することができ、表示ムラのない良好なコントラストの液晶表示を実現することのできる液晶表示パネルを提供することを目的とするものである。
【００１４】
【課題を解決するための手段】
前記目的を達成するため本発明の請求項１に係る液晶表示パネルの特徴は、前記透明電極と前記格子状のブラックマスクとの重なり部分の投影面積を低減するためのスリット部によって前記ブラックマスクが複数の区分に分割されており、前記スリット部は、縦方向および横方向に不連続的、かつ、不規則に分散させて配置されている点にある。
【００１５】
そして、このような構成を採用したことにより、たとえ、異物によって透明電極とブラックマスクとが短絡されたとしても、ブラックマスクを分割したことによってブラックマスクの抵抗負荷を軽減することができるため、前記短絡による電圧降下の影響を低減することができる。また、スリット部による光抜けの影響を実用上問題の生じない程度に十分に低減することができ、さらに良好な品位の液晶表示を実現することができる。
【００１６】
請求項２に係る液晶表示パネルの特徴は、請求項１において、前記スリット部によって分割された前記ブラックマスクの１つの区分と、前記透明電極との重なり部分の平面積であるオーバーラップ量が０．０４ｍｍ2 以下になるように、前記ブラックマスクが分割されている点にある。
【００１７】
そして、このような構成を採用したことにより、さらに有効にブラックマスクの抵抗負荷を軽減することができるため、異物を介した透明電極とブラックマスクとの短絡による電圧降下の影響をさらに効果的に低減することができる。
【００２０】
【発明の実施の形態】
以下、本発明に係る液晶表示パネルの実施形態について図１および図２を参照して説明する。
【００２１】
なお、従来の液晶表示パネル１と基本的構成の同一若しくはこれに類する箇所については、同一の符号を用いて説明する。
【００２２】
図１に示すように、本実施形態における液晶表示パネル１６は、リア側基板７上であって、格子状に配列されたドットマトリクスの画素９の形成領域に対応する表示領域上に、各画素９間を遮光するための格子状のブラックマスク１７を有している。なお、ブラックマスクは、前述した表示領域以外の非表示領域にも形成される場合があるが、本明細書においてブラックマスク１７というときは、表示領域に対応するブラックマスク１７のみを意味するものとして扱う。
【００２３】
本実施形態においては、前記格子状のブラックマスク１７が、複数個のスリット部１９によって複数の区分２０（ａ，ｂ，ｃ・・・）に分割されるように形成されている。
【００２４】
このため、前記リア側電極７の縞状パターンの１つと前記格子状のブラックマスク１７とが、両者の間に存在する異物１５によって短絡されたとしても、異物１５に接続されたブラックマスク１７の平面積が前記スリット部１９によって低減されているため、ブラックマスク１７の抵抗負荷を軽減することができるようになっている。
【００２５】
このため、異物１５によってブラックマスク１９と短絡されたフロント側電極７の縞状パターンの１つと、他のフロント側電極７との間における電圧降下を低減することができるため、コントラスト不良を防止することができるようになっている。
【００２６】
なお、ブラックマスク１７の分割においては、前記スリット部１９によって分割されたブラックマスク１７の１つの区分２０と、前記リア側電極７との重なり部分（例えば図２に示す斜線部）の投影面積であるオーバーラップ量が、０．０４ｍｍ2  以下となるように分割を行うのが好ましい。
【００２７】
かかる場合、リア側電極７との短絡の際におけるブラックマスク１７の抵抗負荷を低減するために、より好適なブラックマスク１７の設計を行うことができるため、さらに良好なコントラストを得ることができる。
【００２８】
また、前記スリット部１９の形成位置は、ブラックマスク１７の光抜け部分となるが、例えば、この部分が直線上に連続的に出現するように形成された場合、表示全体として一本の筋として目立ってしまう。このため、スリット部１９の形成位置は、例えば図１に示すように、少なくとも図１における縦方向および横方向に連続的に出現しないように分散して形成するのが好ましい。この場合、スリット部１９の光抜け部分による直線状の表示不良の発生を防止し、より高品位な液晶表示を行うことができる。
【００２９】
次に、本実施形態の作用について説明する。
【００３０】
本実施形態における液晶表示パネル１６を用いて液晶表示を行う場合は、フロント側電極８（走査電極）とリア側電極７（信号電極）との間に電圧を選択的に印加することによって、両透明電極７，８間の液晶５の配向を変化させて液晶分子による光の透過を制御する。
【００３１】
このとき、前記格子状のブラックマスク１７がスリット部１９によって所定の区分２０（ａ，ｂ，ｃ・・・）ごとに分割されて形成されているため、たとえ異物１５によってリア側電極７とブラックマスク１７とが短絡されたとしても、ブラックマスク１７の抵抗負荷を低減することができる。
【００３２】
このため、異物１５による短絡にも関わらず、リア側電極７の電圧降下の影響を低減することができ、表示ムラのない良好なコントラストの液晶表示を行うことができる。
【００３３】
また、本実施形態においては、スリット部１９によって分割された格子状のブラックマスク１７の１つの区分２０（ａ，ｂ，ｃ・・・）とリア側透明電極７との重なり部分の投影面積であるオーバーラップ量が、０．０４ｍｍ2 以下になるように分割が行われているため、電圧降下をより効果的に低減することができる。
【００３４】
さらに、スリット部１９が直線上に配置されないように分散されて形成されているため、スリット部１９の光抜けが表示上全体として目立つことを防止することができ、さらに高品位な液晶表示を行うことができる。
【００３５】
また、相乗効果として、透明電極７のスパッタ法での成膜において、ブラックマスク１７への異常放電、すなわち基板２への電荷集中による基板２への放電不良の発生率をほぼ０％に達成することができる。
【００３６】
さらに、これらの効果にともなって液晶表示パネル１６を生産する上で高歩留まりを達成することができる。
【００３７】
なお、本発明は前記実施形態のものに限定されるものではなく、必要に応じて種々変更することが可能である。
【００３８】
例えば、本実施形態を、カラーフィルタを搭載した液晶表示パネルに適用するようにしてもよい。
【００３９】
以上述べたように本発明の請求項１に係る液晶表示パネルによれば、異物による電圧降下の影響を低減することができるため、良好なコントラストの高品位な液晶表示を実現することができる。
【００４０】
請求項２に係る液晶表示パネルによれば、請求項１に係る液晶表示パネルに効果に加えて、さらに有効に電圧降下を低減することができる。
【図面の簡単な説明】
【図１】本発明に係る液晶表示パネルの実施形態を示す平面図
【図２】本発明に係る液晶表示パネルの実施形態において、オーバーラップ量の定義を図示した平面図
【図３】従来から採用されている液晶表示パネルの基本的構成を示した概略断面図
【図４】従来から採用されている液晶表示パネルの画素およびブラックマスクの構成を示した平面図
【図５】従来の液晶表示パネルの問題点を示した概略断面図
【符号の説明】
２  リア側基板
７  リア側電極
９  画素
１５  異物
１６  液晶表示パネル
１７  ブラックマスク
１９  スリット部
２０（ａ，ｂ，ｃ・・・）  区分
【図１】
0005051946.tif 000002
【図２】
0005051946.tif 000003
【図３】
0005051946.tif 000004
【図４】
0005051946.tif 000005
【図５】
0005051946.tif 000006